【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
新たに設置した１又は複数の画像形成装置に設定情報を設定するためのプログラムを生成する情報処理装置と、生成された前記プログラムを実行して前記設定情報を設定する画像形成装置とを含む自動設置システムであって、
前記情報処理装置は、
設定対象の画像形成装置に設定される設定情報を取得する取得手段と、
取得した前記設定情報に、前記設定対象の画像形成装置に個別に設定される個別設定情報が含まれており、かつ前記個別設定情報が当該個別設定情報の識別名と関連付けられていない場合には、前記画像形成装置への前記設定情報の設定の際に入力される識別名に関連付けられた前記個別設定情報を設定するための第１の個別設定コマンドを生成する生成手段と、
生成された前記第１の個別設定コマンドを含むプログラムと、前記個別設定情報とを媒体に格納する格納手段と
を有し、
前記１又は複数の画像形成装置の各々は前記プログラムを読み込み、
前記第１の個別設定コマンドが含まれていれば、前記識別名の入力を受け付ける入力手段と、
入力された前記識別名に関連付けられた前記個別設定情報を、当該画像形成装置の設定情報として設定する設定手段と
を有することを特徴とする自動設置システム。
【請求項２】
前記生成手段はさらに、前記設定対象の画像形成装置それぞれに対する前記個別設定情報の前記識別名を含む選択肢を生成し、前記格納手段は前記プログラムの一部として前記選択肢を格納し、
前記入力手段は、前記選択肢を含むユーザーインタフェースを表示し、前記選択肢の中から選択された一の識別名を前記識別名の入力として受け付けることを特徴とする請求項１に記載の自動設置システム。
【請求項３】
前記生成手段は、取得した前記設定情報に、前記設定対象の画像形成装置に共通に設定される共通設定情報が含まれている場合には、前記設定対象の画像形成装置すべてに対して設定するための共通設定コマンドを生成し、
前記格納手段は、生成された前記共通設定コマンドをさらに含むプログラムと、前記個別設定情報とをさらに前記媒体に格納し、
前記設定手段は、前記共通設定コマンドが含まれていれば、前記共通設定情報を当該画像形成装置の設定情報としてさらに設定することを特徴とする請求項１または２に記載の自動設置システム。
【請求項４】
前記生成手段は、取得した前記設定情報に前記個別設定情報が含まれており、かつ前記個別設定情報が、前記画像形成装置の識別名と関連付けられている場合には、前記識別名に関連付けられた個別設定情報を、当該識別名を有する画像形成装置に設定するための第２の個別設定コマンドを生成し、
前記格納手段は、生成された前記第２の個別設定コマンドをさらに含むプログラムと、前記個別設定情報とをさらに前記媒体に格納し、
前記設定手段は、前記第２の個別設定コマンドが含まれていれば、当該画像形成装置の識別名に関連付けられた前記個別設定情報を当該画像形成装置の設定情報としてさらに設定することを特徴とする請求項１乃至３のいずれか一項に記載の自動設置システム。
【請求項５】
前記１または複数の画像形成装置の各々はさらに、前記設定対象の画像形成装置ごとに、当該画像形成装置の識別名と、設定された設定情報の識別名とを関連付けた関連情報を生成する手段をさらに有し、
前記格納手段は、前記関連情報を前記媒体にさらに格納することを特徴とする請求項１乃至４のいずれか一項に記載の自動設置システム。
【請求項６】
前記情報処理装置はさらに、前記設定対象の画像形成装置が複数の場合、それぞれの画像形成装置に設定される設定情報を比較して、すべての画像形成装置に共通する設定情報を前記共通設定情報として、共通しない設定情報を前記個別設定情報として分類する手段をさらに有することを特徴とする請求項１乃至５のいずれか一項に記載の自動設置システム。
【請求項７】
新たに設置した１又は複数の画像形成装置に設定情報を設定するためのプログラムを生成する情報処理装置と、生成された前記プログラムを実行して前記設定情報を設定する画像形成装置とを含む自動設置システムにおける方法であって、
前記情報処理装置が、設定対象の画像形成装置に設定される設定情報を取得する取得工程と、
取得した前記設定情報に、前記設定対象の画像形成装置に個別に設定される個別設定情報が含まれており、かつ前記個別設定情報が当該個別設定情報の識別名と関連付けられていない場合には、前記情報処理装置が、前記画像形成装置への前記設定情報の設定の際に入力される識別名に関連付けられた前記個別設定情報を設定するための第１の個別設定コマンドを生成する生成工程と、
前記情報処理装置が、生成された前記第１の個別設定コマンドを含むプログラムと、前記個別設定情報とを媒体に格納する格納工程と、
前記１又は複数の画像形成装置の各々が、前記プログラムを読み込み、前記第１の個別設定コマンドが含まれていれば、前記識別名の入力を受け付け、入力された前記識別名に関連付けられた前記個別設定情報を、当該画像形成装置の設定情報として設定する工程と
を有することを特徴とする方法。
【請求項８】
生成された前記プログラムを実行して前記設定情報を設定する新たに設置した１又は複数の画像形成装置に設定情報を設定するためのプログラムを生成する情報処理装置であって、
設定対象の画像形成装置に設定される設定情報を取得する取得手段と、
取得した前記設定情報に、前記設定対象の画像形成装置に個別に設定される個別設定情報が含まれており、かつ前記個別設定情報が当該個別設定情報の識別名と関連付けられていない場合には、前記画像形成装置への前記設定情報の設定の際に入力される識別名に関連付けられた前記個別設定情報を設定するための第１の個別設定コマンドを生成する生成手段と、
生成された前記第１の個別設定コマンドを含むプログラムと、前記個別設定情報とを媒体に格納する格納手段とを有することを特徴とする情報処理装置。
【請求項９】
前記生成手段はさらに、前記設定対象の画像形成装置それぞれに対する前記個別設定情報の前記識別名を含む選択肢を生成し、前記格納手段は前記プログラムの一部として前記選択肢を格納することを特徴とする請求項８に記載の情報処理装置。
【請求項１０】
前記生成手段は、取得した前記設定情報に、前記設定対象の画像形成装置に共通に設定される共通設定情報が含まれている場合には、前記設定対象の画像形成装置すべてに対して設定するための共通設定コマンドを生成し、
前記格納手段は、生成された前記共通設定コマンドをさらに含むプログラムと、前記個別設定情報とをさらに前記媒体に格納することを特徴とする請求項８または９に記載の情報処理装置。
【請求項１１】
前記生成手段は、取得した前記設定情報に前記個別設定情報が含まれており、かつ前記個別設定情報が、前記画像形成装置の識別名と関連付けられている場合には、前記識別名に関連付けられた個別設定情報を、当該識別名を有する画像形成装置に設定するための第２の個別設定コマンドを生成し、
前記格納手段は、生成された前記第２の個別設定コマンドをさらに含むプログラムと、前記個別設定情報とをさらに前記媒体に格納することを特徴とする請求項８乃至１０のいずれか一項に記載の情報処理装置。
【請求項１２】
前記設定対象の画像形成装置が複数の場合、それぞれの画像形成装置に設定される設定情報を比較して、すべての画像形成装置に共通する設定情報を前記共通設定情報として、共通しない設定情報を前記個別設定情報として分類する手段をさらに有することを特徴とする請求項８乃至１１のいずれか一項に記載の情報処理装置。
【請求項１３】
新たに設置した１又は複数の画像形成装置に設定情報を設定するためのプログラムを実行して前記設定情報を設定する画像形成装置であって、
前記プログラムを読み込み、前記画像形成装置への前記設定情報の設定の際に入力された識別名に関連付けられた前記個別設定情報を設定するための第１の個別設定コマンドが含まれていれば、前記識別名の入力を受け付ける入力手段と、
入力された前記識別名に関連付けられた前記個別設定情報を、当該画像形成装置の設定情報として設定する設定手段と
を有することを特徴とする画像形成装置。
【請求項１４】
前記プログラムはさらに、前記設定対象の画像形成装置それぞれに対する前記個別設定情報の前記識別名を含む選択肢を含み、
前記入力手段は、前記選択肢を含むユーザーインタフェースを表示し、前記選択肢の中から選択された一の識別名を前記識別名の入力として受け付けることを特徴とする請求項１３に記載の画像形成装置。
【請求項１５】
前記設定手段は、前記設定対象の画像形成装置すべてに対して設定するための共通設定コマンドが含まれていれば、前記共通設定情報を当該画像形成装置の設定情報としてさらに設定することを特徴とする請求項１３または１４に記載の画像形成装置。
【請求項１６】
前記設定手段は、画像形成装置の識別名に関連付けられた個別設定情報を、当該識別名を有する画像形成装置に設定するための第２の個別設定コマンドが含まれていれば、当該画像形成装置の識別名に関連付けられた前記個別設定情報を当該画像形成装置の設定情報としてさらに設定することを特徴とする請求項１３乃至１５のいずれか一項に記載の画像形成装置。
【請求項１７】
前記画像形成装置はさらに、当該画像形成装置の識別名と、設定された設定情報の識別名とを関連付けた関連情報を生成する手段をさらに有し、
前記格納手段は、前記関連情報を前記媒体にさらに格納することを特徴とする請求項１３乃至１６のいずれか一項に記載の画像形成装置。
【請求項１８】
請求項８乃至１２のいずれか一項に記載の情報処理装置としてコンピュータを機能させるためのプログラム。
【請求項１９】
請求項１３乃至１７のいずれか一項に記載の画像形成装置としてコンピュータを機能させるためのプログラム。
【請求項２０】
画像形成装置を、
前記画像形成装置への前記設定情報の設定の際に入力された識別名に関連付けられた前記個別設定情報を設定するための第１の個別設定コマンドが含まれていれば、前記識別名の入力を受け付ける入力手段と、
入力された前記識別名に関連付けられた前記個別設定情報を、当該画像形成装置の設定情報として設定する設定手段と
して機能させるためのプログラム。
【手続補正２】
【補正対象書類名】明細書
【補正対象項目名】０００８
【補正方法】変更
【補正の内容】
【０００８】
本発明の一側面によれば、新たに設置した１又は複数の画像形成装置に設定情報を設定するためのプログラムを生成する情報処理装置と、生成された前記プログラムを実行して前記設定情報を設定する画像形成装置とを含む自動設置システムであって、
前記情報処理装置は、
設定対象の画像形成装置に設定される設定情報を取得する取得手段と、
取得した前記設定情報に、前記設定対象の画像形成装置に個別に設定される個別設定情報が含まれており、かつ前記個別設定情報が当該個別設定情報の識別名と関連付けられていない場合には、前記画像形成装置への前記設定情報の設定の際に入力される識別名に関連付けられた前記個別設定情報を設定するための第１の個別設定コマンドを生成する生成手段と、
生成された前記第１の個別設定コマンドを含むプログラムと、前記個別設定情報とを媒体に格納する格納手段と
を有し、
前記１又は複数の画像形成装置の各々は前記プログラムを読み込み、
前記第１の個別設定コマンドが含まれていれば、前記識別名の入力を受け付ける入力手段と、
入力された前記識別名に関連付けられた前記個別設定情報を、当該画像形成装置の設定情報として設定する設定手段とを有する。
【手続補正３】
【補正対象書類名】明細書
【補正対象項目名】０００９
【補正方法】変更
【補正の内容】
【０００９】
また本発明の他の側面によれば、新たに設置した１又は複数の画像形成装置に設定情報を設定するためのプログラムを生成する情報処理装置と、生成された前記プログラムを実行して前記設定情報を設定する画像形成装置とを含む自動設置システムにおける方法であって、
前記情報処理装置が、設定対象の画像形成装置に設定される設定情報を取得する取得工程と、
取得した前記設定情報に、前記設定対象の画像形成装置に個別に設定される個別設定情報が含まれており、かつ前記個別設定情報が当該個別設定情報の識別名と関連付けられていない場合には、前記情報処理装置が、前記画像形成装置への前記設定情報の設定の際に入力される識別名に関連付けられた前記個別設定情報を設定するための第１の個別設定コマンドを生成する生成工程と、
前記情報処理装置が、生成された前記第１の個別設定コマンドを含むプログラムと、前記個別設定情報とを媒体に格納する格納工程と、
前記１又は複数の画像形成装置の各々が、前記プログラムを読み込み、前記第１の個別設定コマンドが含まれていれば、前記識別名の入力を受け付け、入力された前記識別名に関連付けられた前記個別設定情報を、当該画像形成装置の設定情報として設定する工程とを有する。
【手続補正４】
【補正対象書類名】明細書
【補正対象項目名】００１０
【補正方法】変更
【補正の内容】
【００１０】
また本発明の他の側面によれば、生成された前記プログラムを実行して前記設定情報を設定する新たに設置した１又は複数の画像形成装置に設定情報を設定するためのプログラムを生成する情報処理装置であって、
設定対象の画像形成装置に設定される設定情報を取得する取得手段と、
取得した前記設定情報に、前記設定対象の画像形成装置に個別に設定される個別設定情報が含まれており、かつ前記個別設定情報が当該個別設定情報の識別名と関連付けられていない場合には、前記画像形成装置への前記設定情報の設定の際に入力される識別名に関連付けられた前記個別設定情報を設定するための第１の個別設定コマンドを生成する生成手段と、
生成された前記第１の個別設定コマンドを含むプログラムと、前記個別設定情報とを媒体に格納する格納手段とを有する。